(57)【特許請求の範囲】
【請求項１】
入力映像信号の水平同期周波数と垂直同期周波数を検出する検出手段と、
上記検出手段により検出された水平同期周波数と垂直同期周波数とから水平ライン数を演算する第１の演算手段と、
映像信号の水平ライン数と水平同期周波数との関係に基づいたアスペクト比の判定基準データを格納する格納手段と、
上記第１の演算手段により演算された上記入力映像信号の水平ライン数と水平同期周波数とから、上記格納手段に格納されている上記判定基準データに基づいて上記入力映像信号のアスペクト比を判定する判定手段と、
ＣＲＴ（Ｃａｔｈｏｄｅ  Ｒａｙ  Ｔｕｂｅ）である表示手段の水平及び垂直方向の偏向を制御する偏向制御手段とを備え、
上記判定基準データは、少なくとも各々２以上の水平ライン数及び水平同期周波数と、１つのアスペクト比と、を対応付けており、
上記格納手段は、
上記表示手段の水平方向の偏向を制御するための制御データである水平偏向サイズデータと、有効映像信号の期間と１水平期間との比であるアクテイブ率及び上記表示手段に実際に表示される表示画像の水平表示サイズの比との関係を示す関係データを予め記憶すると共に、表示画像の垂直方向が上記表示手段の表示可能領域の垂直方向の全体に亘って表示される時の水平表示サイズを複数のアスペクト比の映像信号について記憶しており、
読出手段によって、上記判定手段により判定された上記アスペクト比に対応する、上記格納手段に記憶された水平表示サイズを読み出し、第２の演算手段によって、上記入力映像信号のアクテイブ率及び上記読み出された水平表示サイズの比と、上記格納手段に記憶された上記関係データと、に基づいて水平偏向サイズデータを演算し、上記偏向制御手段によって、当該演算された水平偏向サイズデータに基づいて上記表示手段の水平方向の偏向を制御すると共に、表示画像の垂直方向のサイズが上記表示手段の表示可能領域の垂直サイズと一致するように表示手段の垂直方向の偏向を制御することにより、上記入力映像信号の上記アスペクト比を維持すると共に、表示画像の垂直方向が表示手段の表示可能領域の垂直方向の全体に亘って表示されるようにした
ことを特徴とする映像表示装置。
【請求項２】
検出手段によって、入力映像信号の水平同期周波数と垂直同期周波数を検出し、
第１の演算手段によって、上記検出手段により検出された水平同期周波数と垂直同期周波数とから水平ライン数を演算し、
映像信号の水平ライン数と水平同期周波数との関係に基づいたアスペクト比の判定基準データを格納手段に格納し、
判定手段によって、上記演算手段により演算された上記入力映像信号の水平ライン数と水平同期周波数とから、上記格納手段に格納されている上記判定基準データに基づいて上記入力映像信号のアスペクト比を判定し、
偏向制御手段によって、ＣＲＴ（Ｃａｔｈｏｄｅ  Ｒａｙ  Ｔｕｂｅ）である表示手段の水平及び垂直方向の偏向を制御し、
上記判定基準データは、少なくとも各々２以上の水平ライン数及び水平同期周波数と、１つのアスペクト比と、を対応付けており、
上記格納手段は、上記表示手段の水平方向の偏向を制御するための制御データである水平偏向サイズデータと、有効映像信号の期間と１水平期間との比であるアクテイブ率及び上記表示手段に実際に表示される表示画像の水平表示サイズの比との関係を示す関係データを予め記憶すると共に、表示画像の垂直方向が上記表示手段の表示可能領域の垂直方向の全体に亘って表示される時の水平表示サイズを複数のアスペクト比の映像信号について記憶しており、
読出手段によって、上記判定手段により判定された上記アスペクト比に対応する、上記格納手段に記憶された水平表示サイズを読み出し、第２の演算手段によって、上記入力映像信号のアクテイブ率及び上記読み出された水平表示サイズの比と、上記格納手段に記憶された上記関係データと、に基づいて水平偏向サイズデータを演算し、上記偏向制御手段によって、当該演算された水平偏向サイズデータに基づいて上記表示手段の水平方向の偏向を制御すると共に、表示画像の垂直方向のサイズが上記表示手段の表示可能領域の垂直サイズと一致するように表示手段の垂直方向の偏向を制御することにより、上記入力映像信号の上記アスペクト比を維持すると共に、表示画像の垂直方向が上記表示手段の表示可能領域の垂直方向の全体に亘って表示されるようにした
ことを特徴とする映像表示方法。
【発明の詳細な説明】
【０００１】
【発明の属する技術分野】
本発明は映像表示方法及びその装置に関し、例えばコンピユータによつて生成又は加工された映像信号をそれぞれの画郭に合つたアスペクト比で表示する際の映像表示方法及びその装置に適用して好適なものである。
【０００２】
【従来の技術】
従来、例えばコンピユータによつて生成又は加工された映像信号は、その水平同期信号の周波数や極性が異なる等、種々のものがあり、これらを表示するデイスプレイ（陰極線管等）は、いかなる映像信号が入力されても、これらを正しいサイズ（大きさ及びアスペクト比）及び表示位置で表示する必要がある。
【０００３】
ところが、コンピユータによつて生成又は加工された映像信号や、その他の映像ソースから得られる映像信号の種類は、例えば水平同期周波数、垂直同期周波数又は水平ライン数等に応じて膨大な数となり、従つて、想定されるすべての映像信号についてデイスプレイ上への表示位置及び表示サイズを設定するデータを記憶手段に記憶することは困難である。
【０００４】
【発明が解決しようとする課題】
本発明は以上の点を考慮してなされたもので、種々の映像信号に対応して適切な画像表示を容易に行うことができる映像表示方法及びその装置を提案しようとするものである。
【０００５】
【課題を解決するための手段】
かかる課題を解決するため本発明においては、入力映像信号の水平同期周波数と垂直同期周波数を検出する検出手段と、検出手段により検出された水平同期周波数と垂直同期周波数とから水平ライン数を演算する第１の演算手段と、映像信号の水平ライン数と水平同期周波数との関係に基づいたアスペクト比の判定基準データを格納する格納手段と、第１の演算手段により演算された入力映像信号の水平ライン数と水平同期周波数とから、格納手段に格納されている判定基準データに基づいて入力映像信号のアスペクト比を判定する判定手段と、ＣＲＴ（Ｃａｔｈｏｄｅ  Ｒａｙ  Ｔｕｂｅ）である表示手段の水平及び垂直方向の偏向を制御する偏向制御手段とを備え、判定基準データは、少なくとも各々２以上の水平ライン数及び水平同期周波数と、１つのアスペクト比と、を対応付けており、格納手段は、表示手段の水平方向の偏向を制御するための制御データである水平偏向サイズデータと、有効映像信号の期間と１水平期間との比であるアクテイブ率及び表示手段に実際に表示される表示画像の水平表示サイズの比との関係を示す関係データを予め記憶すると共に、表示画像の垂直方向が表示手段の表示可能領域の垂直方向の全体に亘って表示される時の水平表示サイズを複数のアスペクト比の映像信号について記憶しており、読出手段によって、判定手段により判定されたアスペクト比に対応する、格納手段に記憶された水平表示サイズを読み出し、第２の演算手段によって、入力映像信号のアクテイブ率及び読み出された水平表示サイズの比と、格納手段に記憶された関係データと、に基づいて水平偏向サイズデータを演算し、偏向制御手段によって、当該演算された水平偏向サイズデータに基づいて表示手段の水平方向の偏向を制御すると共に、表示画像の垂直方向のサイズが表示手段の表示可能領域の垂直サイズと一致するように表示手段の垂直方向の偏向を制御することにより、入力映像信号のアスペクト比を維持すると共に、表示画像の垂直方向が表示手段の表示可能領域の垂直方向の全体に亘って表示されるようにする。
【０００６】
【発明の実施の形態】
以下図面について、本発明の一実施例の形態を詳述する。
【０００７】
図１において１０は全体として表示装置を示し、コンピユータ等の映像ソースから出力された映像信号Ｓ１をビデオ制御回路１４に入力する。ビデオ制御回路１４は、主制御部１２からシステムバスＢＵＳを介して供給される制御データに基づき、映像信号Ｓ１に対して所定の信号処理を施すことにより、ＲＧＢのビデオ信号Ｓ２を生成し、これをＣＲＴ１５に供給する。
【０００８】
またコンピユータ等から得られる映像信号Ｓ１は同期分離回路１６に入力される。同期分離回路１６は映像信号Ｓ１から水平同期信号ＳＹＮＣＨ及び垂直同期信号ＳＹＮＣＶを分離し、主制御部１２に送出する。主制御部１２は、水平同期信号ＳＹＮＣＨ及び垂直同期信号ＳＹＮＣＶに基づくタイミングで偏向制御部２１の水平偏向制御回路２２及び垂直偏向制御回路２３を制御することにより、水平偏向出力回路２４及び垂直偏向出力回路２５から映像信号Ｓ１に同期したパルス状の水平偏向駆動信号ＳＤＨ及び垂直偏向駆動信号ＳＤＶがＣＲＴ１５の偏向部１５Ａに送出され、これにより偏向部１５Ａにおいて鋸歯状の偏向駆動波形が生成されてＲＧＢのビデオ信号Ｓ２に基づく画像がＣＲＴ１５の表示面１５Ｂに表示される。
【０００９】
ここで、ＣＲＴ１５を含む表示装置１０の製造工程の最終調整処理工程において、不揮発性メモリ１３に所定の設定データを格納しておくことにより、当該表示装置１０の使用時に入力される映像信号を当該映像信号の種類（アスペクト比）に応じた適正な表示サイズ及び表示位置でＣＲＴ１５の表示面１５Ｂに表示し得るようになされている。
【００１０】
この工場調整処理手順は図２に示すように、まずステツプＳＰ１においてユーザ使用時の画サイズを調整する際に必要となるＣＲＴ１５に固有の設定データを求める。すなわち、当該ステツプＳＰ１では表示装置１０に対して調整用映像信号（予めアクテイブ率は知られている）を入力し、当該調整用映像信号に基づいて実際にＣＲＴ１５の表示面１５Ｂに表示される画像の水平方向表示サイズを測定する。
【００１１】
因みに、表示装置１０においては主制御部１２からシステムバスＢＵＳを介して出力される８［ｂｉｔ］の水平偏向サイズデータ（Ｈ＿ＳＩＺＥデータ）によつて水平偏向制御回路２２の電圧制御発振器（ＶＣＯ：Ｖｏｌｔａｇｅ−Ｃｏｎｔｒｏｌｌｅｄ  Ｏｓｃｉｌｌａｔｏｒ）の制御電圧を設定し、当該電圧制御発振器の発振出力を水平偏向出力回路２４（図１）に供給することによつてその周波数に応じたパルス状の水平偏向駆動信号ＳＤＨを出力するようになされている。この実施の形態の場合、ＣＲＴ１５の偏向部１５Ａは主制御部１２から出力される水平偏向サイズデータ（Ｈ＿ＳＩＺＥデータ）、すなわち水平偏向駆動信号ＳＤＨが同じであれば映像信号の周波数によらず一定の水平ラスタサイズが得られるようになされている。
【００１２】
従つて、図２のステツプＳＰ１においては、ＣＲＴ１５の表示面１５Ｂに実際に表示される画像の水平表示サイズを測定し、この水平表示サイズが第１の所定値ＡＤＪ＿Ｈ＿ＳＩＺＥ＿１となるように主制御部１２はＨ＿ＳＩＺＥを調整して水平偏向制御回路２２に供給する。ここで調整の結果、水平表示サイズがＡＤＪ  Ｈ＿ＳＩＺＥ  １となった時のＨ＿ＳＩＺＥをＨ＿ＳＩＺＥ  １とする（図３）。また調整用映像信号のアクテイブ率ＡＣＴＩＶＥ  ＲＡＴＩＯは予め知られており、水平表示サイズＡＤＪ  Ｈ＿ＳＩＺＥ  １をアクテイブ率ＡＣＴＩＶＥ    ＲＡＴＩＯで割つた値（ＡＤＪ  Ｈ＿ＳＩＺＥ  １／（ＡＣＴＩＶＥ  ＲＡ−ＴＩＯ）が実際の水平偏向走査のサイズ（水平ラスタサイズ）となる。但し、図３の横軸は水平表示サイズＡＤＪ  Ｈ＿ＳＩＺＥ  １をアクテイブ率ＡＣＴＩＶＥ  ＲＡＴＩＯで割つた結果であり、比率を示すものである。
【００１３】
因みに、図４Ａは水平同期信号ＳＹＮＣＨを含めた映像信号Ｓ１を示すとともに、図４Ｂは水平偏向出力回路２４からＣＲＴ１５に出力される水平偏向駆動信号ＳＤＨのタイミングを示し、図４Ａの水平タイミングデータｔ１は水平同期信号ＳＹＮＣＨの前側のフロントポーチＦＰＨの長さを表すデータであり、水平タイミングテータｔ２は水平同期信号ＳＹＮＣＨとその後ろ側のバツクポーチＢＰＨとを併せた長さを表すデータである。水平タイミングデータｔ３は、バツクポーチＢＰＨとフロントポーチＦＰＨとで挟まれたアクデイブ区間、すなわち映像信号Ｓ１の実像部分の長さを表すデータである。このアクテイブ区間がＣＲＴ１５の画面の左右方向（水平方向）における映像領域の幅（水平表示サイズ）に対応する。また、フロントポーチＦＰＨ、水平同期信号ＳＹＮＣＨ及びバツクポーチＢＰＨの区間（ｔ１＋ｔ２）を水平非アクテイブ区間と呼ぶ。なお、水平同期信号ＳＹＮＣＨの周期ｔＨ（＝ｔ１＋ｔ２＋ｔ３）は水平同期信号の周波数から決まる値である。
【００１４】
また図４Ｂは水平偏向駆動信号（水平偏向パルス）ＳＤＨを示し、当該水平偏向駆動信号（水平偏向パルス）ＳＤＨは一定のパルス幅ｔ４を有し、その周期は水平同期信号ＳＹＮＣＨの周期ｔＨと等しくなるように設定される。従つて、映像信号Ｓ１のアクテイブ率（ＡＣＴＩＶＥ  ＲＡＴＩＯ）は、ｔ３／（ｔＨ−ｔ４）、すなわちｔ３／（ｔ１＋ｔ２＋ｔ３−ｔ４）によつて表される。
【００１５】
因みに、図４Ｂに示す水平偏向駆動信号（水平偏向パルス）ＳＤＨの位相は水平偏向ヨークがもつ遅延特性を考慮して映像信号Ｓ１に対してδＨだけずれるように設定される。具体的には、映像信号Ｓ１の非アクテイブ区間の中心と水平偏向駆動信号（水平偏向パルス）ＳＤＨのパルス幅中心との間にオフセツト量δＨが存在するように設定される。このオフセツト量δＨが適正であれば、映像信号Ｓ１の水平アクテイブ区間ＡＣＴＨの中心と水平偏向駆動信号（水平偏向パルス）ＳＤＨのパルス間隔の中心とが一致し、この一致状態が画面の中心と映像表示領域の中心とを一致させる上で理想的となる。このオフセツト量δＨは水平同期周波数の大小に依存するものであることから、当該表示装置１０では、出荷調整時において予め調整用映像信号を入力して水平周期ｔＨに対する水平オフセツト量δＨの比である水平オフセツト率を求めておき、ユーザによる使用時において実際に入力される映像信号Ｓ１の種類（水平同期周波数等による）に応じて映像表示位置を調整するようになされている。
【００１６】
図３において、第１の水平偏向サイズデータ（Ｈ＿ＳＩＺＥ＿１）及び当該第１の水平偏向サイズデータ（Ｈ＿ＳＩＺＥ＿１）に対応する水平ラスタサイズとの関係を表す第１の測定ポイントＰ１が得られると、当該第１の測定ポイントＰ１を表すデータ（第１の水平偏向サイズデータ（Ｈ＿ＳＩＺＥ＿１）及び当該第１の水平偏向サイズデータ（Ｈ＿ＳＩＺＥ＿１）に対応する水平ラスタサイズの組合せ）が図２のステツプＳＰ２において不揮発性メモリ１３に格納される。
【００１７】
さらに、これと同様にして、第２の水平偏向サイズデータ（Ｈ＿ＳＩＺＥ２）及び当該第２の水平偏向サイズデータ（Ｈ＿ＳＩＺＥ＿２）に対応する水平ラスタサイズとの関係を表す第２の測定ポイントＰ２が得られると（ステツプＳＰ３）、当該第２の測定ポイントＰ２を表すデータ（第２の水平偏向サイズデータ（Ｈ＿ＳＩＺＥ＿２）及び当該第２の水平偏向サイズデータ（Ｈ＿ＳＩＺＥ＿２）に対応する水平ラスタサイズの組合せ）が不揮発性メモリ１３に格納される（ステツプＳＰ４）。
【００１８】
これにより、２つの測定ポイントＰ１及びＰ２から補間直線Ｌ１（図３）が得られ、ユーザの使用時において当該補間直線Ｌ１に基づいて実際の入力映像信号Ｓ１に応じた水平ラスタサイズを得るための水平偏向サイズデータ（Ｈ＿ＳＩＺＥ（計算結果））を得ることができる。
【００１９】
このようにして測定ポイントＰ１及びＰ２のデータが不揮発性メモリ１３に格納されると、図２のステツプＳＰ５において、ＣＲＴ１５の表示面１５Ｂに画像を５：４のアスペクト比で表示する際の水平表示サイズ（ＴＡＲＧＥＴ＿Ｈ＿ＳＩＺＥ（５：４））を不揮発性メモリ１３に格納する。この水平表示サイズ（ＴＡＲＧＥＴ＿Ｈ＿ＳＩＺＥ（５：４））は、ＣＲＴ１５の表示面１５Ｂに映像信号に基づく画像を表示する際に、そのアスペクト比を損なうことなく表示面１５Ｂを最も有効に利用することを目的として、ＣＲＴ１５の表示面１５Ｂの垂直サイズと表示画像の垂直サイズとが一致するように画像を表示した際の、当該表示画像のアスペクト比が５：４となるような水平方向の画像表示サイズであり、ユーザの使用時において入力映像信号Ｓ１のアスペクト比が５：４である場合、この水平表示サイズ（ＴＡＲＧＥＴ＿Ｈ＿ＳＩＺＥ（５：４））のデータを用いることにより、入力映像信号Ｓ１のアスペクト比に応じて適正な水平偏向を行うことができる。
【００２０】
このようにしてアスペクト比が５：４である場合の水平表示サイズ（ＴＡＲＧＥＴ＿Ｈ＿ＳＩＺＥ（５：４））のデータが図２のステツプＳＰ５において不揮発性メモリ１３に格納されると、ステツプＳＰ６に移つて、ＣＲＴ１５の表示面１５Ｂに画像を４：３のアスペクト比で表示する際の水平表示サイズ（ＴＡＲＧＥＴ＿Ｈ＿ＳＩＺＥ（４：３））を不揮発性メモリ１３に格納する。
【００２１】
この水平表示サイズ（ＴＡＲＧＥＴ＿Ｈ＿ＳＩＺＥ（４：３））は、ＣＲＴ１５の表示面１５Ｂに映像信号に基づく画像を表示する際に、そのアスペクト比を損なうことなく表示面１５Ｂを最も有効に利用することを目的として、ＣＲＴ１５の表示面１５Ｂの垂直サイズと表示画像の垂直サイズとが一致するように画像を表示した際の、当該表示画像のアスペクト比が４：３となるような水平方向の画像表示サイズであり、ユーザの使用時において入力映像信号Ｓ１のアスペクト比が４：３である場合、この水平表示サイズ（ＴＡＲＧＥＴ＿Ｈ＿ＳＩＺＥ４：３））のデータを用いることにより、入力映像信号Ｓ１のアスペクト比に応じて適正な水平偏向を行うことができる。
【００２２】
かくして図２に示す工場調整処理が完了すると、不揮発性メモリ１３には、図３に示す補間直線Ｌ１を得るための測定データＰ１及びＰ２と、ＣＲＴ１５の表示面１５Ｂに画像を５：４で表示する際の水平表示サイズ及び４：３で表示する際の水平表示サイズが格納される。従つてユーザの使用時においては、これらのデータを基に、入力映像信号Ｓ１の種類（すなわちアスペクト比）に応じた偏向動作を行うような制御が実行される。
【００２３】
すなわち、図５はユーザの使用時における入力映像信号Ｓ１の表示調整処理手順を示し、図１について上述した主制御部１２はユーザインタフエイス（Ｉ／Ｆ）１１を介してユーザの調整指令が入力されると、当該調整処理手順に入り主制御部１２はステツプＳＰ１１においてまず表示画像の垂直方向のサイズがＣＲＴ１５の表示面１５Ｂの垂直サイズと一致するような偏向動作を行うように垂直偏向制御回路２５を制御する。この制御では、入力映像信号Ｓ１の水平同期周波数及び垂直同期周波数から水平ライン数をカウントすることにより、実際に画像が表示されるアクテイブ区間のみを抽出し、このアクテイブ区間の全ての水平ラインがＣＲＴ１５の表示面１５Ｂ全体に表示されるような制御が行われる。
【００２４】
そしてステツプＳＰ１２に移り、このとき入力されている映像信号Ｓ１の水平同期周波数Ｆｈ及び垂直同期周波数Ｆｖに基づき、Ｆｈ／Ｆｖの演算によつて水平ライン数を算出し、続くステツプＳＰ１３に移る。ステツプＳＰ１３において主制御部１２は、このとき入力されている映像信号Ｓ１の水平ライン数及び水平同期周波数Ｆｈに基づいてこのとき入力されている映像信号Ｓ１のアスペクト比が５：４であるか否かを判断する。
【００２５】
すなわち、不揮発性メモリ１３には、映像信号をその特徴によつて種類分けするための特徴情報として、映像信号の水平ライン数及び水平同期周波数Ｆｈの関係に基づくアスペクト比の判定基準データが格納されている。この判定基準データは、入力映像信号Ｓ１のアスペクト比が５：４であるか又は４：３であるかを判定するデータであり、入力映像信号Ｓ１の水平同期周波数Ｆｈが６０．０［ｋＨｚ］以上であり、かつ、水平ライン数が１０２４〜１１００の範囲である場合に当該入力映像信号Ｓ１のアスペクト比が５：４であると判定するものである。
【００２６】
従つて例えば図６に示すように、種々の映像信号（ＶＧＡ、ＶＥＳＡ等）について当該判定データを基に判断すると、５：４のアスペクト比でなる映像信号を見つけることができる。従つて入力映像信号Ｓ１が５：４のアスペクト比である場合、主制御部１２は図５のステツプＳＰ１３において肯定結果を得ることにより、ステツプＳＰ１４に移る。ステツプＳＰ１４において主制御部１２は５：４のアスペクト比を得るための水平表示サイズ（ＴＡＲＧＥＴ＿Ｈ＿ＳＩＺＥ（５：４））のデータを不揮発性メモリ１３から読み出すとともに、このとき入力されている映像信号Ｓ１のアクテイブ率（Ｍｅａｓｕｒｅｄ  ＡＣＴＩＶＥ  ＲＡＴＩＯ）を当該映像信号Ｓ１のタイミング計測結果に基づいて算出する。この算出方法は図４について上述したようにアクテイブ率（ＡＣＴＩＶＥ  ＲＡＴＩＯ）＝ｔ３／（ｔＨ−ｔ４）、すなわちｔ３／（ｔ１＋ｔ２＋ｔ３−ｔ４）である。
【００２７】
かくしてステツプＳＰ１４において目標とする水平表示サイズ（ＴＡＲＧＥＴ  Ｈ＿ＳＩＺＥ（５：４））及び入力映像信号Ｓ１の実測に基づくアクテイブ率（Ｍｅａｓｕｒｅｄ  ＡＣＴＩＶＥ  ＲＡＴＩＯ）が得られると、主制御部１２は水平表示サイズ（ＴＡＲＧＥＴ＿Ｈ＿ＳＩＺＥ（５：４））をアクテイブ率（Ｍｅａｓｕｒｅｄ  ＡＣＴＩＶＥ  ＲＡＴＩＯ）で割ることにより、図３における横軸方向の値を得、当該横軸の値から補間直線Ｌ１を介して得られる縦軸の値（水平偏向サイズデータ（Ｈ＿ＳＩＺＥ）が求まる。この水平偏向サイズデータ（Ｈ＿ＳＩＺＥ）は、入力映像信号Ｓ１をＣＲＴ１５の表示面１５Ｂに５：４で表示させる場合の実際の水平ラスタサイズ（フロントポーチＦＰＨ及びバツクポーチＢＰＨを含む水平偏向サイズ）を得るためのデータとなる。
【００２８】
かくして主制御部１２はステツプＳＰ１６に移り、ステツプＳＰ１４において得られた８［ｂｉｔ］の水平偏向サイズデータ（Ｈ＿ＳＩＺＥ）をシステムバスＢＵＳを介して水平偏向制御回路２２に送出することにより、当該水平偏向サイズデータ（Ｈ＿ＳＩＺＥ）に応じた水平偏向駆動信号（水平偏向パルス）ＳＤＨがＣＲＴ１５の偏向部１５Ａに送出され、入力映像信号Ｓ１のアスペクト比である５：４のアスペクト比でＣＲＴ１５の表示面１５Ｂに映像信号Ｓ１に基づく画像を表示する。
【００２９】
この結果、図７Ａに示すように入力映像信号Ｓ１の画像がＣＲＴ１５の表示面１５Ｂに対して小さく表示されているような場合に、ユーザがユーザインタフエイス（Ｉ／Ｆ）１１（図１）によつて調整指令を入力することにより、図７Ｂに示すように、入力映像信号Ｓ１のアスペクト比を保ちながら、当該アスペクト比に応じて表示面１５Ｂを有効に利用した偏向動作が実行され、この結果図７Ｃに示すようにＣＲＴ１５の表示面１５Ｂの全面に映像信号Ｓ１による画像を表示する場合に比べて歪みのない画像を表示することができる。
【００３０】
また、上述のステツプＳＰ１３において否定結果が得られると、このことは入力映像信号Ｓ１のアスペクト比が５：４ではないこと、すなわち４：３であることを表しており、このとき主制御部１２はステツプＳＰ１５に移つて、４：３のアスペクト比を得るための水平表示サイズ（ＴＡＲＧＥＴ＿Ｈ＿ＳＩＺＥ（４：３））のデータを不揮発性メモリ１３から読み出すとともに、このとき入力されている映像信号Ｓ１のアクテイブ率（Ｍｅａｓｕｒｅｄ  ＡＣＴＩＶＥ  ＲＡＴＩＯ）を当該映像信号Ｓ１のタイミング計測結果に基づいて算出する。この算出方法は図４について上述したようにアクテイブ率（ＡＣＴＩＶＥ  ＲＡＴＩＯ）＝ｔ３／（ｔＨ−ｔ４）、すなわちｔ３／（ｔ１＋ｔ２＋ｔ３−ｔ４）である。かくしてステツプＳＰ１５において目標とする水平表示サイズ（ＴＡＲＧＥＴ  Ｈ＿ＳＩＺＥ（４：３））及び入力映像信号Ｓ１の実測に基づくアクテイブ率（Ｍｅａｓｕｒｅｄ  ＡＣＴＩＶＥ  ＲＡＴＩＯ）が得られると、主制御部１２は水平表示サイズ（ＴＡＲＧＥＴ＿Ｈ＿ＳＩＺＥ（４：３））をアクテイブ率（Ｍｅａｓｕｒｅｄ  ＡＣＴＩＶＥ  ＲＡＴＩＯ）で割ることにより、図３における横軸方向の値を得、当該横軸の値から補間直線Ｌ１を介して得られる縦軸の値（水平偏向サイズデータ（Ｈ＿ＳＩＺＥ）が求まる。この水平偏向サイズデータ（Ｈ＿ＳＩＺＥ）は、入力映像信号Ｓ１をＣＲＴ１５の表示面１５Ｂに４：３で表示させる場合の実際の水平ラスタサイズ（フロントポーチＦＰＨ及びバツクポーチＢＰＨを含む水平偏向サイズ）を得るためのデータとなる。
【００３１】
かくして主制御部１２はステツプＳＰ１６に移り、ステツプＳＰ１５において得られた８［ｂｉｔ］の水平偏向サイズデータ（Ｈ＿ＳＩＺＥ）をシステムバスＢＵＳを介して水平偏向制御回路２２に送出することにより、当該水平偏向サイズデータ（Ｈ＿ＳＩＺＥ）に応じた水平偏向駆動信号（水平偏向パルス）ＳＤＨがＣＲＴ１５の偏向部１５Ａに送出され、入力映像信号Ｓ１のアスペクト比である４：３のアスペクト比でＣＲＴ１５の表示面１５Ｂに映像信号Ｓ１に基づく画像を表示する。
【００３２】
以上の構成において、表示装置１０は種々の映像信号のうち、例えばアスペクト比が５：４でなる映像信号の特徴（水平同期周波数Ｆｈが６０．０［ｋＨＺ］以上であり、かつ、水平ライン数が１０２４〜１１００の範囲である）を判定データとして不揮発性メモリ１３に予め格納しておき、ユーザの使用時において入力される映像信号Ｓ１が当該判定データに合致するか否かを判断し、合致するときこれを５：４のアスペクト比でなる映像信号と判定する。
【００３３】
そして、５：４のアスペクト比でなる映像信号Ｓ１をＣＲＴ１５の表示面１５Ｂに表示する場合、実際に表示される表示面１５Ｂ上での水平方向（横方向）の表示サイズとして、アスペクト比を損なうことなく表示面１５Ｂを最も有効に利用し得る実画像の表示サイズ（ＴＡＲＧＥＴ＿Ｈ＿ＳＩＺＥ）を不揮発性メモリ１３から読み出して当該表示サイズ（ＴＡＲＧＥＴ＿Ｈ＿ＳＩＺＥ）とし得る実際のラスタサイズ（実画像とならないフロントポーチＦＰＨ、バツクポーチＢＰＨを含む）を映像信号Ｓ１のアクテイブ率から求め、当該ラスタサイズを得ることができる水平偏向サイズデータ（Ｈ＿ＳＩＺＥ）を図３に示した補間直線Ｌ１から求める。
【００３４】
かくして当該補間直線Ｌ１によつて求められた水平偏向サイズデータ（Ｈ＿ＳＩＺＥ）は、当該表示装置１０の工場出荷時に実測した表示サイズ（ＴＡＲＧＥＴ＿Ｈ＿ＳＩＺＥ）を満足する制御データであり、この制御データによつて水平偏向制御回路２２を動作させることにより、ＣＲＴ１５の特性に適合しながら映像信号Ｓ１のアスペクト比（５：４）に応じた歪みのない画像が表示面１５Ｂに表示される（図７Ｂ）。
【００３５】
以上の構成によれば、入力映像信号の特徴（水平同期周波数及び水平ライン数）によつて当該入力映像信号のアスペクト比を推定し、当該アスペクト比に併せた偏向動作を行うことにより、映像信号に基づく画像に歪みが生じることを回避しながら、表示面１５Ｂを有効に利用することができる。
【００３６】
なお上述の実施例においては、入力映像信号Ｓ１のアスペクト比として５：４又は４：３のものを不揮発性メモリ１３に予め格納された判定データに基づいて識別する場合について述べたが、本発明はこれに限らず、例えば１６：９のアスペクト比でなる画像の映像信号を推定する判定データを不揮発性メモリ１３に格納する等、判定対象であるアスペクト比は種々のものを適用し得る。
【００３７】
この場合、例えば１６：９のアスペクト比の画像の映像信号は水平ライン数が少なく、かつ水平同期周波数が高い等の特徴を、既存の映像信号から割り出して、これを判定データとすれば良い。
【００３８】
また上述の実施の形態においては、映像信号の特徴を表す判定データを不揮発性メモリ１３に記憶する場合について述べたが、本発明はこれに限らず、他の種々の記憶デバイスを用いることができる。
【００３９】
また上述の実施の形態においては、ＣＲＴ１５に画像を表示する表示装置１０に本発明を適用したが、本発明はこれに限らず、液晶表示装置等、種々の表示装置に画像を表示する際に広く適用することができる。
【００４０】
また上述の実施の形態においては、入力映像信号の種類として、そのアスペクト比に着目し、当該アスペクト比を適正にしながら表示面１５Ｂに画像表示する場合について述べたが、本発明はこれに限らず、入力映像信号の種類としてその精細度を特定するようにし、当該精細度に応じて最適な画像表示を行う等、映像信号の判定対象となる種類は種々のものを適用し得る。
【００４１】
【発明の効果】
上述のように本発明によれば、入力映像信号の種類を、予め格納された映像信号の、少なくとも各々２以上の水平ライン数及び水平同期周波数と、１つのアスペクト比とを対応付けた特徴情報に基づいて判定し、当該判定結果に基づき、表示画像の少なくとも一方向が表示手段の表示可能領域の一方向の全体に表示されるようにすることにより、入力映像信号に応じて歪がない適切な表示画像を簡易に得ることができる。
【００４２】
映像表示方法及びその装置において、例えばコンピユータによって生成又は加工された種々の水平同期周波数、垂直同期周波数又は水平ライン数等で構成される種々の映像信号を表示する場合に利用できる。
【００４３】
【図面の簡単な説明】
【図１】本発明による映像表示装置の全体構成を示すブロツク図である。
【図２】本発明による工場出荷時の調整処理手順を示すフローチヤートである。
【図３】ＥＰＧデータの構造の説明に供する略線図である。
【図４】図３のＥＰＧデータのうち番組内容データの構造の説明に供する略線図である。
【図５】ユーザ使用時の表示調整処理手順を示すフローチヤートである。
【図６】アスペクト比の判定結果の説明に供する略線図である。
【図７】表示画面の画像表示例を示す正面図である。
【符号の説明】
１０……表示装置、１２……主制御部、１３……不揮発性メモリ、１５……ＣＲＴ（陰極線管）、１５Ａ……偏向部、１５Ｂ……表示面、２１……偏向制御部、２２……水平偏向制御回路、２３……垂直偏向制御回路、Ｈ＿ＳＩＺＥ……水平偏向サイズデータ、ＴＡＲＧＥＴ＿ＳＩＺＥ……水平表示サイズ、ＡＣＴＩＶＥ    ＲＡＴＩＯ……アクテイブ率。
【図１】
0004662088.tif 000002
【図２】
0004662088.tif 000003
【図３】
0004662088.tif 000004
【図４】
0004662088.tif 000005
【図５】
0004662088.tif 000006
【図６】
0004662088.tif 000007
【図７】
0004662088.tif 000008
【図８】
0004662088.tif 000009